(57)【特許請求の範囲】
【請求項１】
プラスチックシートを折曲げ線に沿って折曲げ形成した筒状のケース本体と、該ケース本体の側面板開口端から延出してケース本体の開口を閉塞する蓋板とを有するプラスチックケースにおいて、前記開口端における前記蓋板が設けられていない側面板の開口端に、支持片第１折曲げ線によって蓋板内面に沿う方向に折曲げられた後、円弧状に形成された支持片第２折曲げ線によって蓋板内面からケース本体内部側に向かう方向に折曲げられ、その先端がケース本体内に収納した物品の端面に当接する収納物支持片を設けたことを特徴とするプラスチックケース。
【請求項２】
前記円弧状に形成された支持片第２折曲げ線は、前記支持片第１折曲げ線方向に凸に形成されていることを特徴とする請求項１記載のプラスチックケース。
【請求項３】
前記蓋板及び収納物支持片が設けられていない側面板の開口端に、第１折曲げ線によって該側面板の内面に沿うように折曲げられ、第２折曲げ線によって前記収納物支持片先端よりケース内部側で、かつ、蓋板と平行な方向に折曲げられた後、第３折曲げ線によって対向する側面板の内面に沿うようにして蓋板方向に折り曲げられ、かつ、前記第２折曲げ線と第３折曲げ線との間には、ケース内に収納した物品が嵌合する物品保持孔を形成した物品保持面が設けられていることを特徴とする請求項１又は２記載のプラスチックケース。
【発明の詳細な説明】
【０００１】
【発明の属する技術分野】
本発明は、プラスチックケースに関し、詳しくは、薬品や化粧品等の小物を収納した状態で展示販売するのに適したプラスチックケースに関する。
【０００２】
【従来の技術及び発明が解決しようとする課題】
従来から、小さな物品を収納するためのケース（箱）として、収納した物品がケース内で動くことを防止するため、ケース内に詰め物を入れたり、物品保持用の部材を設けたりしたものが用いられている。しかし、このようなケースでは、ケース本体とは別に詰め物や保持部材を用意しなければならず、１枚のプラスチックシートを折曲げ線に沿って折曲げるだけでケースを形成できるという、プラスチックケースの利点、特徴を損なうことになる。
【０００３】
一方、小さな物品を、その形状に応じた小さなケースに収納した場合は、店頭陳列時の見映えが悪くなり、商品のアピール効果が低下するだけでなく、全体が手の中に入ってしまうようなものは盗難に対する配慮も必要になる。
【０００４】
そこで本発明は、１枚のプラスチックシートを折曲げ線に沿って折曲げ形成したプラスチックケースに小さな物品を収納する場合、ケースの大きさをディスプレイ効果が十分に得られるような大きさにしても、収納した物品がケース内で移動しないように確実に保持しておくことができるプラスチックケースを提供することを目的としている。
【０００５】
【課題を解決するための手段】
上記目的を達成するため、本発明のプラスチックケースは、プラスチックシートを折曲げ線に沿って折曲げ形成した筒状のケース本体と、該ケース本体の側面板開口端から延出してケース本体の開口を閉塞する蓋板とを有するプラスチックケースにおいて、前記開口端における前記蓋板が設けられていない側面板の開口端に、支持片第１折曲げ線によって蓋板内面に沿う方向に折曲げられた後、円弧状に形成された支持片第２折曲げ線によって蓋板内面からケース本体内部側に向かう方向に折曲げられ、その先端がケース本体内に収納した物品の端面に当接する収納物支持片を設けたことを特徴とし、特に、前記円弧状に形成された支持片第２折曲げ線は、前記支持片第１折曲げ線方向に凸に形成されていることを特徴としている。
【０００６】
また、前記蓋板及び収納物支持片が設けられていない側面板の開口端に、第１折曲げ線によって該側面板の内面に沿うように折曲げられ、第２折曲げ線によって前記収納物支持片先端よりケース内部側で、かつ、蓋板と平行な方向に折曲げられた後、第３折曲げ線によって対向する側面板の内面に沿うようにして蓋板方向に折り曲げられ、かつ、前記第２折曲げ線と第３折曲げ線との間には、ケース内に収納した物品が嵌合する物品保持孔を形成した物品保持面が設けられていることを特徴としている。
【０００７】
【発明の実施の形態】
図１は本発明のプラスチックケースの一形態例を示す展開図、図２は組立て後のプラスチックケースを示す斜視図、図３は物品を収納した状態のプラスチックケースを示す正面図である。
【０００８】
このプラスチックケースは、所定形状に打ち抜かれ、所定位置に折曲げ線を設けた一枚のプラスチックシート１を、前記折曲げ線に沿って所定方向に折曲げるとともに、糊代片を接着することによって箱状に組立てられるものである。前記プラスチックシート１には、折曲げ線３１〜３４により、水平断面が略四角形の角筒状ケース本体１０を形成する４枚の側面板１１〜１４、すなわち、正面板１１，背面板１２及び左右一対の側板１３，１４と糊代片１５とが区画形成されている。
【０００９】
さらに、正面板１１の上端には、近接した２本の平行な折曲げ線３５ａ，３５ｂを介して上部塞ぎ片１６が設けられ、正面板下端には折曲げ線（第１折曲げ線）３６を介して収納物保持片１７が設けられている。また、背面板１２の上端には吊り下げ孔１８ａを有する吊り下げ片１８が延出しており、背面板下端には折曲げ線３７を介して底部開口に対応した大きさで、先端に折曲げ線３８を介して差し込み片１９ａを有する蓋板１９が設けられている。
【００１０】
さらに、両側板１３，１４には、底部側が開いた逆Ｖ字状の折曲げ線３９ａ，３９ｂによって三角形状に３分割されており、両折曲げ線３９ａ、３９ｂを谷折りにして側板上部をケース内側に折り込むことにより、ケース本体１０の側面視形状を、底部が開いた三角形状になるようにしている。そして、両側板１３，１４の下端には、支持片第１折曲げ線４０によってケース本体内部側に蓋板１９の内面に沿う底面板２０ａを形成するように折曲げられた後、支持片第２折曲げ線４１によってケース本体内部側に向かう方向に立ち上がり片２０ｂを形成するように折曲げられ、その先端２０ｃがケース内に収納した物品の端面に当接する収納物支持片２０がそれぞれ設けられている。
【００１１】
前記支持片第１折曲げ線４０から支持片第２折曲げ線４１までの最大間隔Ｄは、底部開口の幅寸法Ｗ（正面板の幅寸法）の１／２以下で、１／２に近い寸法に設定されており、さらに、前記支持片第２折曲げ線４１は、支持片第１折曲げ線４０側に凸又は凹となる円弧状に形成されている。支持片第２折曲げ線４１の円弧径は、この支持片第２折曲げ線４１によって底面板２０ａと立ち上がり片２０ｂとを略直角に折り曲げ可能な程度に設定されている。また、支持片第２折曲げ線４１から収納物支持片先端２０ｃまでの寸法Ｈは、収納する物品の高さとケース本体の高さとに応じて設定されるが、通常は５〜３０ｍｍ程度が適当である。
【００１２】
一方、前記収納物保持片１７は、正面板１１の開口端に、前記折曲げ線（第１折曲げ線）３６によって該正面板１１の内面に沿うように折曲げられ、第２折曲げ線４２によって前記収納物支持片先端２０ｃよりケース内部側で、かつ、蓋板１９と平行な方向に折曲げられた後、第３折曲げ線４３によって対向する側面板である背面板１２の内面に沿うようにして蓋板１９の方向に折り曲げられるものであって、前記第２折曲げ線４２と第３折曲げ線４３との間に蓋板１９と平行に形成される物品保持面２１の中央部には、ケース内に収納した物品の下部が嵌合する物品保持孔２２が設けられている。
【００１３】
このプラスチックシート１は、各側面板１１，１２，１３，１４及び糊代片１５を折曲げ線３１〜３４により同一方向にそれぞれ直角に折曲げ、糊代片１５と正面板１１の端部とを接着することにより角筒状のケース本体１０を組立て、ケース上部側では、折曲げ線３９ａ，３９ｂを谷折りにして正面板１１の上部と背面板１２の上部とを近づけるようにするとともに、折曲げ線３５ａ，３５ｂを山折りにして上部塞ぎ片１６を背面板１２の内面に沿ってケース内に挿入するように折り曲げ、ケース上部を閉塞固定した状態とする。これにより、側面視が三角形状のケース本体１０が得られる。
【００１４】
また、ケース底部側では、前記収納物保持片１７における第２折曲げ線４２と第３折曲げ線４３とを９０度谷折りとして第１折曲げ線３６を１８０度山折りとし、収納物保持片１７をケース内に折り込んで物品保持面２１がケース底面と平行になるようにする。さらに、前記収納物支持片２０における支持片第１折曲げ線４０及び支持片第２折曲げ線４１を９０度山折りとし、支持片第２折曲げ線４１から先の立ち上がり片２０ｂをケース底面からケース上方に向かって略垂直に立ち上げる。これにより、両収納物支持片２０の先端２０ｃが前記物品保持孔２２の下方に位置する状態となる。
【００１５】
このとき、収納物支持片２０における支持片第２折曲げ線４１を円弧状、特に、支持片第１折曲げ線４０方向に凸の円弧状に形成しておくことにより、支持片第２折曲げ線４１を折り曲げたときに、支持片第２折曲げ線４１の復元力によって両収納物支持片先端２０ｃ同士が当接する方向の力が作用し、先端２０ｃを所定位置に確実に位置させておくことができるとともに、立ち上がり片２０ｂが円弧面となるので、先端２０ｃに上方から物品の重量が作用しても座屈変形することがなくなる。
【００１６】
したがって、図３に示すように、ケース本体１０内に収納された物品２は、その下部が物品保持孔２２に嵌合し、その底面が収納物支持片２０の先端２０ｃによって支持された状態となるので、ケース本体１０よりも小さな物品２を収納した場合でも、物品２をケース内に確実に保持することができる。
【００１７】
すなわち、ケース本体１０内に詰め物を入れたり、物品保持用の部材を設けることなく、小さな物品２を所望の大きさのケースに収納することができるので、店頭での陳列時における商品のアピール効果を向上させることができるとともに、盗難の危険度も大幅に少なくなる。また、落下等の衝撃から物品２を保護することもできる。
【００１８】
なお、本形態例では、両側板両側板１３，１４に折曲げ線３９ａ，３９ｂを設けてケース本体１０を三角形状とし、これによって物品２の上部を保持するようにして安定した状態で物品２を収納できるようにしたが、通常の角筒状のケース本体であってもよい。また、本形態例では吊下げケースを例示したが、上部に蓋板を設けた通常の箱形ケースであってもよい。
【００１９】
【発明の効果】
以上説明したように、本発明のプラスチックケースによれば、１枚のプラスチックシートを折曲げ形成したケース内に小さな物品を収納する場合でも、別の部材を必要とせずに、所望の大きさのケース内に物品を確実に保持した状態で収納することができるので、物品に比べて大きなケースを使用することができる。これにより、店頭陳列時のディスプレイ効果が向上し、商品を積極的にアピールして商品の販売促進に貢献することができるとともに、小さな物品における盗難防止対策にも有効である。
【図面の簡単な説明】
【図１】本発明のプラスチックケースの一形態例を示す展開図である。
【図２】組立て後のプラスチックケースを示す斜視図である。
【図３】物品を収納した状態のプラスチックケースを示す斜視図である。
【符号の説明】
１…プラスチックシート、２…物品、１０…ケース本体、１１…正面板、１２…背面板、１３，１４…側板、１５…糊代片、１６…上部塞ぎ片、１７…収納物保持片、１８…吊り下げ片、１８ａ…吊り下げ孔、１９…蓋板、１９ａ…差し込み片、２０…収納物支持片、２０ａ…底面板、２０ｂ…立ち上がり片、２０ｃ…収納物支持片先端、２１…物品保持面、２２…物品保持孔、３１〜３８…折曲げ線（３６…第１折曲げ線）、３９ａ，３９ｂ…折曲げ線、４０…支持片第１折曲げ線、４１…支持片第２折曲げ線、４２…第２折曲げ線、４３…第３折曲げ線
【図１】
0003586814.tif 000002
【図２】
0003586814.tif 000003
【図３】
0003586814.tif 000004